(57)【要約】      （修正有）【課題】多機能空気芳香浄化機の提供。【解決手段】台座底部に内部への送風管道と外部空間とを互いに接続する通気孔が形成され、且つ送風管道の適当な位置にファンが設けられている。そして台座内部には薬液装填に供するタンクがあり、タンク内には回路基板と接続する振動子が設置されている。タンク上にはまた蓋がはめられ、蓋側には導流通気孔が形成され、送風管道の気流を先にタンク内に導き入れ、次に蓋内側上方の通気孔から流出させ、蓋の通気孔上には回転可能な排気管がセットされている。台座の両側にはまた、回路基板と接続する音声スピーカー、コントロールスイッチ、ＭＰ３本体、及び音声出入力接続ソケットが取り付けられている。【選択図】図１
0003128242.tif 000002
【実用新案登録請求の範囲】
【請求項１】
台座、蓋、排気管、スピーカーを組み合わせて構成され、その中の台座底部には内部の送風管道と外部空間とを互いに接続する通気孔が形成され、送風管道にはファンが設けられ、そして、台座内部には薬液装填に供されるタンクがあり、タンク内には回路基板と接続する振動子が設置され、回路基板は電源線で電源と外部接続され、またタンク上方には蓋がはめられ、蓋は台座に合わせて密閉できる以外に、タンクとの間に導流通気孔が形成され、送風管道の気流を先にタンク内に導き入れ、次に蓋内側上方の通気孔から流出させ、蓋の通気孔上には回転可能な排気管がセットされ、そして台座の両側にはまた、回路基板と接続する音声スピーカー、コントロールスイッチ、音声出入力接続ソケットが取り付けられ、接続ソケットでＭＰ３を外付けし、スピーカーによりＭＰ３で音が出せることをその特徴とする多機能空気芳香浄化機。
【請求項２】
当該台座内部に回路基板と接続するＭＰ３本体が取り付けられ、接続ソケットで音楽を内蔵ＭＰ３本体内に入力し、また直接内蔵ＭＰ３本体で音楽を流すことができることを特徴とする請求項１記載の多機能空気芳香浄化機。
【請求項３】
当該台座内部に取り付けられたＬＥＤは、回路基板と接続され、点滅発光を起こし、または音楽の高低に合わせて点滅作用を起こすことができることを特徴とする請求項１記載の多機能空気芳香浄化機。
【請求項４】
当該機具が内蔵電池で電気供給されることを特徴とする請求項１記載の多機能空気芳香浄化機。
【請求項５】
当該台座上部と蓋の間に挟む方式で、薬液や精油を内部に入れ、薄壁プラスチック容器に入れて提供することを特徴とする請求項１記載の多機能空気芳香浄化機。
【考案の詳細な説明】
【技術分野】
【０００１】
本考案は多機能空気芳香浄化機に関するもので、住居やオフィスにおいて空間を有効利用できる便利なものとするため、以下の改良設計が加えられた。台座底部に内部へ送風する管道と外部空間とを互いに接続する通気孔が形成され、且つ送風管道の適当な位置にファンが設けられている。そして台座内部には薬液装填に供するタンクがあり、タンク内には回路基板と接続する振動子が設置されている。タンク上にはまた蓋がはめられ、蓋側には導流通気孔が形成され、送風管道の気流を先にタンク内に導き入れ、次に蓋内側上方の通気孔から流出させ、蓋の通気孔上には回転可能な排気管がセットされている。台座の両側にはまた、回路基板と接続する音声スピーカー、コントロールスイッチ、ＭＰ３本体、及び音声出入力接続ソケットグが取り付けられている。タンク中、或いはその上に置くプラスチック容器内に薬液或いは精油を入れ、コントロールスイッチをオンにし、タンク或いはプラスチック容器内の油液に対し、振動子を直接または水を経て伝導させ、超音波振動を起して霧状液体分子を発生させる。さらに気流でその霧状液体分子を急速に押しやり、排気管から排出して、空気の芳香浄化作用を行う。同時に、接続ソケットにＭＰ３を外付けし、スピーカーにより音を出し、或いは直接内蔵ＭＰ３本体で音楽を流す効果を達成し、設備購入費用を節約することができると同時に空間が有効利用でき、コンパクトで使用に便利な実用的考案である。
【背景技術】
【０００２】
工業の発展により、空気及び環境の汚染を招き、且つ生活水準及び作業効率の追求とアップのため、空気の芳香浄化用機械器具及びオーディオ設備の多くがすでに住居及びオフィスの必需品となった。しかし、この２種の用品の多くが各自独立した存在となっており、購入費用及び空間の占有上においても不経済である。またＭＰ３の発展が極めて急速で、しかも体積がコンパクトで、保存容量が大きく、使用に便利であるなど多くの特性を持つことから、２つの製品を互いに結合して使用できれば、住居やオフィスの空間利用及び利便性を高めるうえで多くの効果があるので、研究改良を加える必要がある。
【考案の開示】
【考案が解決しようとする課題】
【０００３】
以上のことに鑑み、本考案の考案者が十数年、空気浄化機械器具の製作、設計に従事した経験を積み重ね、心を尽くし研究し、心血を傾け、以上の欠点に対し、改良方法を探し求めると共に、多くの実験を試み、ついにこの多機能空気芳香浄化機を造り出した。
【０００４】
本考案の主要な目的は、提供する多機能空気芳香浄化機が、台座底部に内部へ送風する管道と外部空間とを互いに接続する通気孔が形成され、且つ送風管道の適当な位置にファンが設けられている。そして台座内部には薬液装填に供するタンクがあり、タンク内には回路基板と接続する振動子が設置されている。タンク上にはまた蓋がはめられ、蓋側には導流通気孔が形成され、送風管道の気流を先にタンク内に導き入れ、次に蓋内側上方の通気孔から流出させ、蓋の通気孔上には回転可能な排気管がセットされている。そして台座の両側にはまた、回路基板と接続する音声スピーカー、コントロールスイッチ、ＭＰ３本体、及び音声出入力接続ソケットが取り付けられている。タンク中に薬液或いは精油を入れ、コントロールスイッチをオンにし、振動子にタンク内の油液に対し、超音波振動を起させ霧状液体分子を発生させる。さらに気流でその霧状液体分子を急速に押しやり、排気管から排出して、空気の浄化作用を行う。同時に、接続ソケットにＭＰ３を外付けして、スピーカーにより音を出し、或いは直接内蔵ＭＰ３本体で音楽を流す効果を達成し、設備購入費用を節約することができると同時に空間が有効利用でき、コンパクトで使用に便利な実用的発明である。
【０００５】
本考案の次の目的は、提供する多機能空気芳香浄化機の台座内部の適当な位置にＬＥＤが取り付けられ、また回路基板と接続されており、コントロールスイッチをオンにすると、ＬＥＤを点滅発光させることができ、新奇でモダンな実用性を達成するものである。
【０００６】
本考案の、もう一つの目的は、提供する多機能空気芳香浄化機が、タンク上に薬液や精油を入れた薄壁プラスチック容器を置く事ができ、プラスチック容器内の油液に対し、タンク内の水を経て伝導させた超音波振動で霧状液体分子を発生させることができ、使用後、タンク清潔の不便さが避けら、異なる使用目的への変更ができる実用的な考案である。
【課題を解決するための手段】
【０００７】
請求項１の考案は、台座、蓋、排気管、スピーカーを組み合わせて構成され、その中の台座底部には内部の送風管道と外部空間とを互いに接続する通気孔が形成され、送風管道にはファンが設けられ、そして、台座内部には薬液装填に供されるタンクがあり、タンク内には回路基板と接続する振動子が設置され、回路基板は電源線で電源と外部接続され、またタンク上方には蓋がはめられ、蓋は台座に合わせて密閉できる以外に、タンクとの間に導流通気孔が形成され、送風管道の気流を先にタンク内に導き入れ、次に蓋内側上方の通気孔から流出させ、蓋の通気孔上には回転可能な排気管がセットされ、そして台座の両側にはまた、回路基板と接続する音声スピーカー、コントロールスイッチ、音声出入力接続ソケットが取り付けられ、接続ソケットでＭＰ３を外付けし、スピーカーによりＭＰ３で音が出せることをその特徴とする多機能空気芳香浄化機としている。
請求項２の考案は、当該台座内部に回路基板と接続するＭＰ３本体が取り付けられ、接続ソケットで音楽を内蔵ＭＰ３本体内に入力し、また直接内蔵ＭＰ３本体で音楽を流すことができることを特徴とする請求項１記載の多機能空気芳香浄化機としている。
請求項３の考案は、当該台座内部に取り付けられたＬＥＤが、回路基板と接続され、点滅発光を起こし、音楽の高低に合わせて点滅作用を起こす事ができることを特徴とする請求項１記載の多機能空気芳香浄化機としている。
請求項４の考案は、当該機具が内蔵電池で電気供給されることを特徴とすることを特徴とする請求項１記載の多機能空気芳香浄化機としている。
請求項５の考案は、当該台座上部と蓋の間に挟む方式で、薬液や精油を内部に入れ、薄壁プラスチック容器に入れて提供することを特徴とする請求項１記載の多機能空気芳香浄化機としている。
【考案の効果】
【０００８】
本考案は多機能空気芳香浄化機、空気浄化と音楽を流す効果のほかに、設備の購入費用を節約し、空間を有効利用し、またコンパクトで使用が便利というメリットを持ち、効果も明らかにアップする。
【考案を実施するための最良の形態】
【０００９】
参照図を配合すること。本考案は主に台座（１）、蓋（２）、排気管（３）、スピーカー（４）、ＭＰ３本体（９）、プラスチック容器（２２）が組み合わさって構成される。その中の台座（１）は、底部に内部への送風管道（１２）と外部空間とを互いに接続する通気孔（１０）が形成され、送風管道（１２）の適当な位置にファン（１１）が設けられている。そして、台座（１）内部には薬液装填に供するタンク（１３）があり、タンク（１３）内には回路基板（１６）と接続する振動子（１７）が設置されていする。回路基板（１６）は、直接内蔵電池での電気供給が採用できる以外に、ソケットや電源線で外部電源と接続することもできる。またタンク（１３）上方には、蓋（２）がはめられ、蓋（２）は台座（１）と合わせて密閉できる以外に、タンク（１３）との間に導流通気孔（２１）が形成され、送風管道（１２）の気流を先にタンク（１３）内に導き入れ、次に蓋（２）内側上方の通気孔から流出させ、蓋（２）の通気孔上には回転可能な排気管（３）がセットされている。また台座（１）内部には回路基板（１６）と接続するＭＰ３本体（９）を取り付け、そして両側には回路基板（１６）と接続する音声スピーカー（４）、コントロールスイッチ（５）、及び音声出入力スケット（６）（７）を設けることができる。また、台座（１）内部の適当な位置に、ＬＥＤ （８）を取り付ける事ができ、回路基板（１６）と接続させ、コントロールスイッチ（５）をオンにして、ＬＥＤ （８）を点滅発光させ、音楽の高低に合わせて点滅作用を起こすことができる。さらに、タンク（１３）上部と蓋（２）の間に挟む方式で、薬液や精油を内部に入れ、薄壁プラスチック容器（２２）に入れて提供し、タンク（１３）の内壁面を薬液や精油の汚れから隔てることができる。
【００１０】
実際に使用する時は、先に蓋（２）をはずし、タンク（１３）内に直接、薬液や精油またはその混合液を入れるか、タンク（１３）内にまず少量の水を入れ、さらにその上に薬液や精油をいれた薄壁プラスチック容器（２２）を置き、蓋（２）をはめた後、排気管（３）を回転調製して、エアー出口を使用部位或いは特定方向へ向ける。コントロールスイッチ（５）をオンにし、タンク（１３）或いはプラスチック容器内の油液、精油、またはその混合液に対し、振動子（１７）をタンク（１３）内の水を経て伝導させ、超音波振動を起して、低温の微細な霧状液体分子を生成させる。ファン（１１）が通気孔（１０）から引き入れた空気は、送風管道（１２）及び蓋（２）の導流通気孔（２１）を経て、生成した微細な霧状液体分子を蓋（２）の内側上方の通気孔へと流動させ、さらに排気管（３）から流出させると共に空気中に拡散させ芳香浄化作用を起こす。同時に音楽を流す作用を組み合わせたい場合は、接続ソケット（６）（７）とＭＰ３ （９'）を接続して、スピーカー（４）でＭＰ３ （９'）の音を出し、接続ソケット（６）（７）で音楽を内蔵ＭＰ３本体（９）内に入力して、直接内蔵ＭＰ３本体（９）で音楽を流す効果を達成すると、別途オーディオを購入する費用が節約できる。また空間を有効利用し、占有体積を減らし、コンパクトで使用が便利という効果を持たせる事ができる。そして台座（１）内部に取り付けられたＬＥＤ （８）は、同時に点滅発光させ、音楽の高低に合わせて点滅現象を起こす事ができ、新奇でモダンな注目を集める特殊効果が達成できる。またタンク（１３）上に置く、薬液や精油を入れる薄壁プラスチック容器は使い捨てなので、タンク（１３）の内壁面が薬液や精油で汚れるのをさらに防ぐ事ができ、使用後の清潔や異なる目的に使用するのに便利である。
【図面の簡単な説明】
【００１１】
【図１】本考案の実施例の立体図である。
【図２】本考案の実施例の断面図である。
【図３】本考案の別の実施例の断面図である。
【図４】本考案のもう１つ別の実施例の断面図である。
【符号の説明】
【００１２】
１  台座
２  蓋
３  排気管
４  スピーカー
５  コントロールスイッチ
６、７  接続ソケット
８  ＬＥＤ
９  ＭＰ３本体
９‘  ＭＰ３
１０  通気孔
１１  ファン
１２  送風管道
１３  タンク
１６  回路基板
１７  振動子
２１  導流通気孔
２２  プラスチック容器
【図１】
0003128242.tif 000003
【図２】
0003128242.tif 000004
【図３】
0003128242.tif 000005
【図４】
0003128242.tif 000006